(57)【要約】【課題】装置の電源がオフの間にロール紙を装填（てん）することができないようにして、ロール紙の先端部分が不必要に切断されることがなく、ロール紙が無駄に廃棄されず、コストを低くすることができるようにする。【解決手段】ロール１１から繰り出されたロール紙１１ａのニアエンドを検知するニアエンドセンサ１３と、前記ロール紙１１ａを送り出すオートローディング機構と、該オートローディング機構にオートローディング動作を開始させる挿入検知センサ１２と、装填されたロール紙１１ａの先端近傍部分を切断する切断機構と、電源がオフである時に前記ロール紙１１ａの走行経路を遮断するロール紙挿入シャッター３１とを有する。【選択図】　　　　　図１
2004066654.tif 000002
【特許請求の範囲】
【請求項１】
（ａ）ロールから繰り出されたロール紙のニアエンドを検知するニアエンドセンサと、
（ｂ）前記ロール紙を送り出すオートローディング機構と、
（ｃ）該オートローディング機構にオートローディング動作を開始させる挿入検知センサと、
（ｄ）装填されたロール紙の先端近傍部分を切断する切断機構と、
（ｅ）電源がオフである時に前記ロール紙の走行経路を遮断するロール紙挿入シャッターとを有することを特徴とするロール紙装填機構。
【請求項２】
前記ロール紙挿入シャッターは、前記ロール紙の走行経路において前記挿入検知センサの手前に配設される請求項１に記載のロール紙装填機構。
【請求項３】
前記ロール紙挿入シャッターは、前記ロール紙の走行経路においてニアエンドセンサの手前に配設される請求項１に記載のロール紙装填機構。
【発明の詳細な説明】
【０００１】
【発明の属する技術分野】
本発明は、ロール紙装填機構に関するものである。
【０００２】
【従来の技術】
従来、鉄道の駅に配設された乗車券発券機、自動車の駐車場に配設された駐車用磁気駐車券発券機、バスの車両内に配設されたバス整理券発券機、感熱紙タイプのファクシミリ装置等の装置においては、長尺の帯状の連続紙をロール状に巻いたロール紙が使用されている。そして、前記装置においては、ロール紙を巻き戻して連続紙を繰り出し、該連続紙を所定の長さに切断して送り出すようになっている。
【０００３】
図２は従来のロール紙繰り出し装置の概略図である。
【０００４】
図において、５１は長尺の帯状の連続紙がロール状に巻かれたロール紙のロール、５１ａはロール５１から繰り出されたロール紙、５２はロール紙５１ａの走行経路途中に配設された挿入検知センサ、５３はロール紙５１ａの走行経路途中に配設されたニアエンドセンサ、５４はロール紙５１ａがニアエンドセンサ５３を通過するようにガイドするためのセンサガイド、５５はロール紙５１ａを所定の長さに切断するためのロール紙カッター、５６はロール紙５１ａの走行経路を規定するための走行ガイド、５７はロール紙５１ａを送り出すオートローディングローラ、５８はロール紙５１ａの先端を検知するロール紙先端検知センサである。
【０００５】
ここで、ロール５１から繰り出されたロール紙５１ａは、センサガイド５４、走行ガイド５６、挿入検知センサ５２を通過し、ロール紙カッター５５に到達する。そして、該ロール紙カッター５５によってロール紙５１ａは所定の長さに切断され、発券機構に送り出されて発券される。
【０００６】
また、ロール５１の装填（てん）時には、オペレータが手作業によって、ロール紙５１ａの先端をセンサガイド５４及び走行ガイド５６にくぐらせ、挿入検知センサ５２の位置まで移動させる。ここで、該挿入検知センサ５２の直後には、オートローディングローラ５７が配設されていて、挿入検知センサ５２によってロール紙５１ａが検知されると、オートローディングローラ５７が自動的に回転してオートローディングを行うようになっている。これにより、ロール紙５１ａは、その先端がロール紙カッター５５の直後に配設されたロール紙先端検知センサ５８にまで送られる。
【０００７】
この状態で、ロール紙５１ａの先端近傍部分をロール紙カッター５５によって切断し、切断された部分を廃棄することによってロール紙５１ａの装填が完了する。
【０００８】
ここで、最後にロール紙５１ａの先端近傍部分を切断するのは、装填される時のロール紙５１ａの先端が綺麗に切断されていないことを考慮しているためである。通常、ロール５１の最外周にはロール紙５１ａの先端が粘着剤、粘着テープ等によって付着されている。そして、前記ロール紙５１ａを装填する場合、オペレータは、ロール５１の最外周に付着されているロール紙５１ａの先端を手作業によって引き剥（は）がす。そのため、引き剥がされたロール紙５１ａの先端は、直線状でなく不整なギザギザの状態となっていて、乗車券として使用するのには適していない。そこで、新たにロール紙５１ａが装填された場合には、不整なギザギザの状態となっている先端を含む先端近傍部分を切断することによって、一枚目から綺麗に切断された乗車券が発券される。なお、ロール紙カッター５５によって切断する位置は、通常、先端から５５〔ｍｍ〕程度の位置である。
【０００９】
【発明が解決しようとする課題】
しかしながら、前記従来のロール紙繰り出し装置においては、装置の電源がオフからオンに切り替わると、ロール紙５１ａが新たに装填されたものとして、ロール紙５１ａの先端近傍部分をロール紙カッター５５によって切断し、切断された部分を廃棄するようになっている。そのため、装置の電源がオフになる前にロール紙カッター５５によって先端近傍部分を切断され、先端が綺麗になっているロール紙５１ａであっても、装置の電源がオフからオンに切り替わると、再び先端近傍部分が切断され、前述された５５〔ｍｍ〕程度の長さのロール紙５１ａが廃棄されてしまう。したがって、ロール紙５１ａが無駄に廃棄され、コストが高くなってしまう。
【００１０】
ここで、装置の電源がオフからオンに切り替わると、ロール紙５１ａの先端近傍部分を切断するのは、装置の電源がオフの間にロール紙５１ａが新たに装填されても、挿入検知センサ５２がロール紙５１ａの挿入を検出することができないためである。すなわち、装置の電源がオフの間にオペレータが新たなロール紙５１ａを装填することがあるが、この場合、挿入検知センサ５２が動作していないのでオートローディングが行われない。すると、オペレータが新たなロール紙５１ａを装填したにもかかわらず、乗車券発券機から乗車券が発行されないことになってしまう。
【００１１】
そこで、このような事態を防ぐために、挿入検知センサ５２が動作していない状態から動作する状態へと復帰した時には、常に前述されたようにロール紙５１ａの先端近傍部分をロール紙カッター５５によって切断して、先端が綺麗になるようにしている。これは、電源がオフの間にロール紙５１ａを抜き差しした場合、再度装填されたロール紙５１ａの先端が綺麗に切断されている保証がないためである。しかし、これにより、先端が綺麗になっているロール紙５１ａであっても、装置の電源がオフからオンに切り替わると再び先端近傍部分が切断されるので、ロール紙５１ａが無駄に廃棄され、コストが高くなってしまう。
【００１２】
本発明は、前記従来の問題点を解決して、装置の電源がオフの間にロール紙を装填することができないようにして、ロール紙の先端部分が不必要に切断されることがなく、ロール紙が無駄に廃棄されず、コストを低くすることができるロール紙装填機構を提供することを目的とする。
【００１３】
【課題を解決するための手段】
そのために、本発明のロール紙装填機構においては、ロールから繰り出されたロール紙のニアエンドを検知するニアエンドセンサと、前記ロール紙を送り出すオートローディング機構と、該オートローディング機構にオートローディング動作を開始させる挿入検知センサと、装填されたロール紙の先端近傍部分を切断する切断機構と、電源がオフである時に前記ロール紙の走行経路を遮断するロール紙挿入シャッターとを有する。
【００１４】
本発明の他のロール紙装填機構においては、さらに、前記ロール紙挿入シャッターは、前記ロール紙の走行経路において前記挿入検知センサの手前に配設される。
【００１５】
本発明の更に他のロール紙装填機構においては、さらに、前記ロール紙挿入シャッターは、前記ロール紙の走行経路においてニアエンドセンサの手前に配設される。
【００１６】
【発明の実施の形態】
以下、本発明の実施の形態について図面を参照しながら詳細に説明する。
【００１７】
図１は本発明の第１の実施の形態におけるロール紙装填機構を備えるロール紙繰り出し装置の概略図である。
【００１８】
図において、１１は長尺の帯状の連続紙がロール状に巻かれたロール紙のロールであり、回転可能に取り付けられている。また、１１ａはロール１１から繰り出されたロール紙、１２はロール紙１１ａの走行経路途中に配設された挿入検知センサ、１３はロール紙１１ａの走行経路途中に配設されたニアエンドセンサである。ここで、前記挿入検知センサ１２は、ロール紙１１ａの先端が通過したことによって、ロール紙１１ａが挿入されたことを検知する。また、前記ニアエンドセンサ１３は、ロール紙１１ａの後端が通過したことによって、ロール紙１１ａが終了間際であること、すなわち、ロール紙１１ａのエンドが近いことを検知する。なお、前記挿入検知センサ１２及びニアエンドセンサ１３は、例えば、非接触の光学式センサであるが、接触式の機械式センサであってもよいし、いかなる形式のセンサであってもよい。
【００１９】
そして、１４はロール紙１１ａがニアエンドセンサ１３を通過するようにガイドするためのセンサガイド、１５はロール紙１１ａを所定の長さに切断するための切断機構としてのロール紙カッター、１６はロール紙１１ａの走行経路を規定するための走行ガイド、１７はロール紙１１ａを送り出すオートローディング機構としてのオートローディングローラ、１８はロール紙１１ａの先端を検知してオートローディングローラ１７にオートローディング動作を開始させるするロール紙先端検知センサである。
【００２０】
ここで、前記ロール紙カッター１５は図示されない駆動装置によって駆動され、刃物によってロール紙１１ａを切断する。そして、前記オートローディングローラ１７は、前記挿入検知センサ１２がロール紙１１ａが挿入されたことを検知すると、図示されないモータ等の駆動源によって回転させられて、ロール紙１１ａをロール紙カッター１５の方向に送り込む、すなわち、オートローディングを行うようになっている。また、前記ロール紙先端検知センサ１８はロール紙１１ａの先端が通過したことを検知する。なお、前記ロール紙先端検知センサ１８は、例えば、非接触の光学式センサであるが、接触式の機械式センサであってもよいし、いかなる形式のセンサであってもよい。
【００２１】
また、ロール紙１１ａの走行経路における挿入検知センサ１２の直前に、ロール紙挿入シャッター３１が配設される。該ロール紙挿入シャッター３１は、ロール紙１１ａの走行経路を遮断する装置である。そして、装置の電源のオン−オフによって動作し、装置の電源がオンである時は前記走行経路を解放し、装置の電源がオフである時は前記走行経路を遮断するようになっている。
【００２２】
本実施の形態におけるロール紙繰り出し装置は、例えば、鉄道の駅に配設された乗車券発券機に使用されるものであるが、自動車の駐車場に配設された駐車用磁気駐車券発券機、バスの車両内に配設されたバス整理券発券機、感熱紙タイプのファクシミリ装置等のいかなる装置に使用されるものであってもよい。
【００２３】
次に、前記構成のロール紙繰り出し装置の動作について説明する。
【００２４】
まず、ロール紙繰り出し装置が定常的に作動している場合、ロール１１から繰り出されたロール紙１１ａは、センサガイド１４、走行ガイド１６、挿入検知センサ１２を通過し、ロール紙カッター１５に到達する。そして、該ロール紙カッター１５によってロール紙１１ａは所定の長さに切断され、発券機構に送り出されて発券されるようになっている。
【００２５】
また、ロール紙１１ａが消費され、すべてのロール紙１１ａがロール１１から繰り出され、ロール紙１１ａの後端がニアエンドセンサ１３を通過すると、該ニアエンドセンサ１３は、ロール紙１１ａが終了間際であること、すなわち、ロール紙１１ａのエンドが近いことを報知する。これにより、オペレータは、新たにロール紙１１ａをロール紙繰り出し装置に装填する。
【００２６】
そして、ロール紙１１ａの装填時には、オペレータが手作業によって、ロール紙１１ａの先端をセンサガイド１４及び走行ガイド１６にくぐらせ、挿入検知センサ１２の位置まで移動させる。ここで、装置の電源がオンである時は前記ロール紙挿入シャッター３１が走行経路を解放しているので、ロール紙１１ａの先端を挿入検知センサ１２の位置まで移動させることができる。そして、該挿入検知センサ１２の直後には、オートローディングローラ１７が配設されていて、挿入検知センサ１２によってロール紙１１ａが検知されると、オートローディングローラ１７の回転によってロール紙１１ａを、ロール紙カッター１５の直後に配設されたロール紙先端検知センサ１８まで送るようになっている。
【００２７】
この状態で、ロール紙１１ａがロール紙カッター１５によって切断され、切断された部分を廃棄されることによってロール紙１１ａのセットが完了する。
【００２８】
ここで、最後にロール紙１１ａの先端近傍部分を切断するのは、「従来の技術」において説明したように、装填される時のロール紙１１ａの先端が綺麗に切断されていないことを考慮しているためである。そこで、新たにロール紙１１ａが装填された場合には、不整なギザギザの状態となっている先端を含む先端近傍部分を切断することによって、一枚目から綺麗に切断された乗車券が発券される。
【００２９】
以降は、ロール紙繰り出し装置が定常的に作動し、ロール紙１１ａは、ロール紙カッター１５によって所定の長さに切断され、発券機構に送り出されて発券される。
【００３０】
なお、本実施の形態において、前記ロール紙１１ａの装填時に装置の電源がオフである場合、前記ロール紙挿入シャッター３１が走行経路を遮断するようになっている。そのため、オペレータはロール紙１１ａをロール紙繰り出し装置に装填することができない。
【００３１】
ここで、前記ロール紙挿入シャッター３１は、前記走行経路に垂直な方向に移動する遮蔽（へい）部材を有し、該遮蔽部材の先端部分はばねを介して取り付けられている。そして、前記走行経路を遮断する場合、図示されない駆動装置の駆動力によって遮蔽部材が走行経路に向けて移動し、前記先端部分が走行経路を横断して該走行経路を遮断するようになっている。そのため、ロール紙挿入シャッター３１が走行経路を遮断している状態で、オペレータが手作業によって、ロール紙１１ａの先端をセンサガイド１４及び走行ガイド１６にくぐらせ、挿入検知センサ１２の位置まで移動させようとしても、ロール紙１１ａの先端が前記遮蔽部材の先端部分の側面に衝突して、挿入検知センサ１２及び該入検知センサ１２の直後に配設されているオートローディングローラ１７にまで到達しない。
【００３２】
なお、前記ロール紙挿入シャッター３１は、装置の電源がオフになると走行経路を遮断するようになっている。そのため、走行経路にロール紙１１ａが存在する場合でも、遮蔽部材が走行経路に向けて移動する。しかし、該遮蔽部材の先端部分は走行経路に存在するロール紙１１ａによって遮られ、走行経路を横断して該走行経路を遮断することができない。この場合、遮蔽部材の先端部分はばねを介して取り付けられているので、該ばねが収縮することによって、駆動装置の駆動力が吸収される。なお、前記ロール紙１１ａは、遮蔽部材の先端部分によって横方向の押圧力を受けることになるが、前記ばねのばね力を弱く設定することによって、前記押圧力を弱くすることができ、損傷することがない。
【００３３】
また、前記ばねのばね力を弱く設定しても、一旦（たん）、前記遮蔽部材の先端部分が走行経路を遮断してしまうと、ロール紙１１ａの先端からの力を側面から受けるので、ロール紙１１ａの通過を確実に阻止することができる。
【００３４】
このように、本実施の形態においては、ロール紙１１ａの走行経路における挿入検知センサ１２の直前に、装置の電源がオンである時は前記走行経路を解放し、装置の電源がオフである時は前記走行経路を遮断するロール紙挿入シャッター３１が配設される。そして、装置の電源がオンになっていて、前記挿入検知センサ１２が動作している状態では、ロール紙１１ａを装填することができるが、装置の電源がオフになっていて、前記挿入検知センサ１２が動作していない状態では、ロール紙１１ａを装填することができないようになっている。そのため、装置の電源がオフの間にオペレータが新たなロール紙１１ａを装填したり、ロール紙１１ａを一度抜いて再び装填することは不可能となる。
【００３５】
これにより、装置の電源がオフからオンに切り替わり、挿入検知センサ１２が動作していない状態から動作している状態に復帰した時に、ロール紙１１ａがセットされていれば、該ロール紙１１ａの先端が綺麗に切断されている状態を保証することができる。そのため、装置の電源がオフからオンに切り替わると、ロール紙１１ａが新たに装填されたものとして、ロール紙１１ａの先端近傍部分をロール紙カッター１５によって切断する必要がない。したがって、ロール紙１１ａの先端部分が不必要に切断されることがなく、ロール紙１１ａが無駄に廃棄されず、コストを低くすることができる。
【００３６】
次に、本発明の第２の実施の形態について説明する。なお、第１の実施の形態と同じ構造を有するものについては、同じ符号を付与することによってその説明を省略する。
【００３７】
図３は本発明の第２の実施の形態におけるロール紙装填機構を備えるロール紙繰り出し装置の概略図である。
【００３８】
ところで、前記第１の実施の形態においては、ロール紙１１ａを装填しようとする際に、オペレータが手作業によって、ロール紙１１ａの先端をセンサガイド１４及び走行ガイド１６にくぐらせた後で、ロール紙挿入シャッター３１が閉じていることが分かるようになっている。すなわち、前記オペレータはある程度の作業を行った時点で初めてロール紙１１ａを装填することができないことが分かるので、無駄な作業を行うことになり、作業効率が低下してしまう。
【００３９】
そこで、本実施の形態においては、図３に示されるように、ロール紙挿入シャッター４１がセンサガイド１４内部のニアエンドセンサ１３の手前に配設されるようになっている。すなわち、前記ロール紙挿入シャッター４１は、ロール紙１１ａの走行経路において、前記第１の実施の形態におけるロール紙挿入シャッター３１よりもロール１１に近接した位置に配設されている。なお、前記ロール紙挿入シャッター４１は、前記第１の実施の形態におけるロール紙挿入シャッター３１と同様に、装置の電源がオフになると走行経路を遮断するようになっている。この場合、前記ロール紙挿入シャッター４１は、前記走行経路に垂直な方向に移動する遮蔽部材を有し、該遮蔽部材の先端部分はばねを介して取り付けられている。そして、前記走行経路を遮断する場合、図示されない駆動装置の駆動力によって遮蔽部材が走行経路に向けて移動し、前記先端部分が走行経路を横断して該走行経路を遮断するようになっている。そのため、ロール紙挿入シャッター４１が走行経路を遮断している状態で、オペレータが手作業によって、ロール紙１１ａの先端をセンサガイド１４にくぐらせようとしても、ロール紙１１ａの先端が前記遮蔽部材の先端部分の側面に衝突して、ニアエンドセンサ１３より後には到達しない。
【００４０】
なお、装置の電源がオンである時は前記ロール紙挿入シャッター４１が走行経路を解放しているので、ロール紙１１ａの先端を挿入検知センサ１２の位置まで移動させることができる。そして、該挿入検知センサ１２の直後には、オートローディングローラ１７が配設されていて、挿入検知センサ１２によってロール紙１１ａが検知されると、オートローディングローラ１７の回転によってロール紙１１ａを、ロール紙カッター１５の直後に配設されたロール紙先端検知センサ１８まで送るようになっている。
【００４１】
このように、本実施の形態においては、装置の電源がオンである時は前記走行経路を解放し、装置の電源がオフである時は前記走行経路を遮断するロール紙挿入シャッター４１が、センサガイド１４内部のニアエンドセンサ１３の手前に配設されるようになっている。そして、装置の電源がオンになっていて、前記挿入検知センサ１２が動作している状態では、ロール紙１１ａを装填することができるが、装置の電源がオフになっていて、前記挿入検知センサ１２が動作していない状態では、ロール紙１１ａを装填することができないようになっている。そのため、装置の電源がオフの間にオペレータが新たなロール紙１１ａを装填したり、ロール紙１１ａを一度抜いて再び装填することは不可能となる。
【００４２】
また、前記ロール紙挿入シャッター４１は、ロール紙１１ａの走行経路において、前記第１の実施の形態におけるロール紙挿入シャッター３１よりもロール１１に近接した位置に配設されている。そのため、装置の電源がオフの間に、オペレータが手作業によってロール紙１１ａを装填しようとすると、ロール１１から繰り出したロール紙１１ａの先端をセンサガイド１４にくぐらせることができないようになっている。これにより、前記オペレータはほとんど作業を行うことなく、ロール紙１１ａをロール１１からわずかに繰り出した時点でロール紙１１ａを装填することができないことが分かるので、無駄な作業を行うことがなく、作業効率が低下することがない。
【００４３】
さらに、装置の電源がオフからオンに切り替わり、挿入検知センサ１２が動作していない状態から動作している状態に復帰した時に、ロール紙１１ａがセットされていれば、該ロール紙１１ａの先端が綺麗に切断されている状態を保証することができる。そのため、装置の電源がオフからオンに切り替わると、ロール紙１１ａが新たに装填されたものとして、ロール紙１１ａの先端近傍部分をロール紙カッター１５によって切断する必要がない。したがって、ロール紙１１ａの先端部分が不必要に切断されることがなく、ロール紙１１ａが無駄に廃棄されず、コストを低くすることができる。
【００４４】
なお、本実施の形態においては、鉄道の駅に配設された乗車券発券機に使用されるロール紙繰り出し装置を例にして説明したが、本発明は、自動車の駐車場に配設された駐車用磁気駐車券発券機、バスの車両内に配設されたバス整理券発券機、ファクシミリ装置等のいかなる装置にも適用することができる。
【００４５】
なお、本発明は前記実施の形態に限定されるものではなく、本発明の趣旨に基づいて種々変形させることが可能であり、それらを本発明の範囲から排除するものではない。
【００４６】
【発明の効果】
以上詳細に説明したように、本発明によれば、ロール紙装填機構においては、ロールから繰り出されたロール紙のニアエンドを検知するニアエンドセンサと、前記ロール紙を送り出すオートローディング機構と、該オートローディング機構にオートローディング動作を開始させる挿入検知センサと、装填されたロール紙の先端近傍部分を切断する切断機構と、電源がオフである時に前記ロール紙の走行経路を遮断するロール紙挿入シャッターとを有する。
【００４７】
この場合、装置の電源がオフの間にロール紙を抜き差しすることを防止することができる。これにより、装置の電源がオフからオンに切り替わり、挿入検知センサが動作していない状態から動作している状態に復帰した時に、ロール紙がセットされていれば、ロール紙の先端が綺麗に切断されている状態を保証することができる。そのため、装置の電源がオフからオンに切り替わっても、ロール紙の先端近傍部分を切断機構によって切断する必要がない。したがって、ロール紙の先端部分が不必要に切断されることがなく、ロール紙が無駄に廃棄されず、コストを低くすることができる。
【図面の簡単な説明】
【図１】本発明の第１の実施の形態におけるロール紙装填機構を備えるロール紙繰り出し装置の概略図である。
【図２】従来のロール紙繰り出し装置の概略図である。
【図３】本発明の第２の実施の形態におけるロール紙装填機構を備えるロール紙繰り出し装置の概略図である。
【符号の説明】
１１　　ロール
１１ａ　　ロール紙
１２　　挿入検知センサ
１３　　ニアエンドセンサ
１５　　ロール紙カッター
１７　　オートローディングローラ
３１、４１　　ロール紙挿入シャッター
【図１】
2004066654.tif 000003
【図２】
2004066654.tif 000004
【図３】
2004066654.tif 000005